(57)【要約】本発明は、撹拌機のための撹拌インペラに関連する。この撹拌インペラは円板状に形成され得る本体部を有する。この撹拌インペラは、連結され、かつ本体部から複数の方向であって、外方向に延出する、周方向に離間し、長手方向において湾曲したチャンネル形状の複数の外側羽根を有する。第１の外側羽根は、少なくとも部分的に本体部より上方を向く先端部を有する。第２の外側羽根は、少なくとも部分的に本体部より下方を向く先端部を有する。第３の外側羽根は、少なくとも部分的に本体部の接線方向を向く先端部を有する。
2015502846.tif 000002
【特許請求の範囲】
【請求項１】
撹拌機のための撹拌インペラであって、
本体部と、
前記本体部に連結され、かつ前記本体部から外方へ複数の方向に延び、周方向に離間するとともに、長手方向において湾曲するチャンネル状をなす複数の外側羽根と、を備える撹拌インペラ。
【請求項２】
請求項１に記載の撹拌インペラにおいて、
前記外側羽根のそれぞれは、
作動的に前記本体部に連結される基端部と、
前記基端部から半径方向に離間する先端部とを有する撹拌インペラ。
【請求項３】
請求項１に記載の撹拌インペラにおいて、
前記外側羽根のうち第１の外側羽根は、少なくとも部分的に前記本体部より上方を向く先端部を有し、
前記外側羽根のうち第２の外側羽根は、少なくとも部分的に前記本体部より下方を向く先端部を有し、
前記外側羽根のうち第３の外側羽根は、少なくとも部分的に前記本体部の接線方向を向く先端部を有する撹拌インペラ。
【請求項４】
請求項１に記載の撹拌インペラにおいて、
前記インペラは回転軸を有し、
前記外側羽根の少なくとも１つは半径方向の外方向に延出するように形成され、
他の前記外側羽根の少なくとも１つは回転軸に対して軸方向外方で、かつ半径方向外方に延出するように形成される撹拌インペラ。
【請求項５】
請求項４に記載の撹拌インペラにおいて、
さらに別の前記外側羽根の少なくとも一つは、少なくとも部分的に前記本体部によって二等分される撹拌インペラ。
【請求項６】
請求項１に記載の撹拌インペラにおいて、
前記本体部は、頂部及び前記頂部と反対側の底部を有し、
前記インペラは、さらに、シャフトに連結される中央ハブと、
前記本体部の頂部及び底部の何れか一つに連結される複数の内側羽根と、を備え、
前記内側羽根は、前記中央ハブに連結される基端部及び半径方向に離間する先端部を有する撹拌インペラ。
【請求項７】
請求項６に記載の撹拌インペラにおいて、
前記本体部は環状をなして中央開口を有し、
前記ハブが前記中央開口と同軸であることと、
前記内側羽根が前記ハブを特定位置に設置し、
前記内側羽根は前記本体部の前記底部から前記開口を通過し、前記本体部の上部に向かう液体の動きを促進するように形成される撹拌インペラ。
【請求項８】
請求項２に記載の撹拌インペラにおいて、
各外側羽根は、その基端部における曲率半径、及びその先端部における曲率半径を有し、
前記基端部における曲率半径は、前記先端部における曲率半径より大きく形成される撹拌インペラ。
【請求項９】
請求項２に記載の撹拌インペラにおいて、
各外側羽根は、その基端部における曲率半径、及びその先端部における曲率半径を有し、
前記基端部における曲率半径は、前記先端部における曲率半径と等しく形成される撹拌インペラ。
【請求項１０】
請求項１に記載の撹拌インペラにおいて、
各外側羽根は、
外方向に延出し、かつ前記本体部に対して直交する側部と、
少なくとも部分的に前記本体部に対向する頂部と、
前記頂部の反対側に位置する底部と、を有し、
前記外側羽根の前記頂部及び底部は、前記羽根が半径方向外方に延出するにつれて互いに先細りするように形成される撹拌インペラ。
【請求項１１】
請求項１０に記載の撹拌インペラにおいて、
前記インペラは回転軸を有し、
その羽根の各側部は湾曲され、
その外側羽根は、前記回転軸に対して軸方向外方、かつ半径方向外方に延出する撹拌インペラ。
【請求項１２】
請求項１に記載の撹拌インペラにおいて、
前記インペラは回転軸を有し、
その各外側羽根は、断面Ｃ字形状の先端部、凸状の側部及び凹状の側部を有する撹拌インペラ。
【請求項１３】
請求項１に記載の撹拌インペラにおいて、
前記各羽根は第１の部位及び第２の部位を備える複数の部位によって形成され、
前記各第１の部位は前記本体部に連結され、前記第２の部位は対応する前記第１の部位に角度をもって連結される撹拌インペラ。
【請求項１４】
請求項１に記載の撹拌インペラにおいて、
断面チャンネル形状の前記羽根は、液体を受け入れ、かつ自身内を通過させて導くための台形空間を形成する撹拌インペラ。
【請求項１５】
請求項１に記載の撹拌インペラにおいて、
前記本体部に連結される中央配置デフレクタを備え、
前記中央配置デフレクタは凹状の円錐台形外面を有する撹拌インペラ。
【請求項１６】
請求項１５に記載の撹拌インペラにおいて、
前記インペラは回転軸を有し、
その前記本体部は、頂部及び前記頂部の反対側の底部を有し、
前記デフレクタは前記本体部の頂部に連結され、かつ軸方向下方及び前記回転軸に対して半径方向外方に液体を導くように形成され、
前記インペラは、凹状の円錐台形外面を有するさらなるデフレクタを有し、
前記さらなるデフレクタは、前記本体部の底部に連結されるとともに、軸方向上方、かつ前記回転軸に対して半径方向外方に液体を導くように形成される撹拌インペラ。
【請求項１７】
請求項１に記載の撹拌インペラにおいて、
撹拌シャフトに連結可能な中央ハブと、
前記ハブに連結され、かつ前記ハブから半径方向の外方向に延出する複数の周方向離間垂直直線コネクタプレートとを備え、
前記ハブに連結され、かつ前記ハブの周囲に延出する本体部と、
前記コネクタプレートは前記外側羽根を前記本体部に連結する撹拌インペラ。
【請求項１８】
請求項１７に記載の撹拌インペラにおいて、
前記本体部は環状の外側縁を有し、
前記プレートは本体部の外側縁の接線方向に延出する部位をそれぞれ有し、
前記羽根はプレートの部位のそれぞれに連結する撹拌インペラ。
【請求項１９】
ハウジングと、
前記ハウジングに取り付けられたアクチュエータと、
回転可能に前記アクチュエータ及び請求項１に記載のインペラに連結されるシャフトと、を備え、
前記インペラは回転可能に前記シャフトに取り付けられる撹拌機。
【請求項２０】
撹拌機のための回転軸を有する撹拌インペラであって、
頂部及び底部を有する環状の本体部と、
前記本体部の頂部及び底部から外方向に延出する、周方向に離間し、長手方向に湾曲したチャンネル形状の先細りの複数の外側羽根と、を備え、
前記外側羽根のそれぞれは、前記本体部に連結される基端部及び前記基端部から半径方向に離間する先端部を有し、
前記先端部は前記基端部と比較して小さい断面Ｃ字形状に形成され、
前記外側羽根の少なくとも一つは、回転軸に対して軸方向の外方向に延出するように形成され、
他の前記外側羽根の少なくとも一つは、半径方向外方に延出するように形成され、
さらに別の前記外側羽根の少なくとも一つは、前記本体部によって少なくとも部分的に２等分されて形成され、
前記外側羽根のうち第１の外側羽根の前記先端部は、少なくとも部分的に本体部より上方を向き、
前記外側羽根のうち第２の外側羽根の前記先端部は、少なくとも部分的に本体部より下方を向き、
前記外側羽根のうち第３の外側羽根の前記先端部は、少なくとも部分的に前記本体部の接線方向を向く撹拌インペラ。
【発明の詳細な説明】
【技術分野】
【０００１】
本発明は、撹拌インペラに関する。より詳細には、長手方向に湾曲した、チャンネル形状をなす羽根を有する撹拌インペラに関する。
【背景技術】
【０００２】
特許文献１は、容器内の流体を撹拌し、そこに充填されたガスを分散させるためのインペラ組立体を示す。このインペラ組立体は、複数の半径方向に延出するブレードを有するインペラを備える。各ブレードは、半径方向に延出する先端を有する上部及び下部に分岐するシート状部を備える。この上部及び下部は、交流渦とともに断面Ｖ字を形成するように連結される。この各ブレードの上部の幅は上部先端が下部先端の前方に延出するように、ブレードの下部の幅より大きい。このように、上部は、上昇するガス気泡を捕え、拡散するように突出して形成される。さらに、このインペラ組立体は、このインペラ組立体を回転させるためのドライブ組立体を備える。
【０００３】
特許文献２は液体中におけるガスのような流体を効果的に拡散するための撹拌組立体を示す。この組立体は、一連のスコップ形状ブレードに取り付けられる回転可能ドライブシャフトを含むロータを備え、それはシャフトの回転方向が示されるスコップの口部とともに配向されている。各ブレードは、ブレードの一端が回転方向において他のブレードを導くような迎角にて取り付けられている。ガス空洞形成を除去するため、各ブレードは断面流線型の形状であって、その複数の端部がロータの回転軸を横断する方向に延びる。
【０００４】
特許文献３は、複数の中空状をなし、少なくとも部分的に円錐形の撹拌要素を備えた撹拌機構を示す。これら撹拌要素は、２つの開口部を備えるとともに、対称的にオフセットされ、かつ少なくとも撹拌シャフトと同軸の仮想円形シリンダにほぼ接する撹拌シャフトに固定される。始動段階では、撹拌された物質は、層流的にこの撹拌要素に沿って流れる。しかし、それらがおよそ１．３ｍ／ｓの予め定められた最小限の速度に達すると、すぐに撹拌要素の内側の流れは、動圧力によって強制的に反対側に向けられる。
【先行技術文献】
【特許文献】
【０００５】
【特許文献１】米国特許第５，７９１，７８０号明細書
【特許文献２】米国特許第５，２４６，２８９号明細書
【特許文献３】米国特許第５，０３７，２０９号明細書
【発明の概要】
【発明が解決しようとする課題】
【０００６】
本発明の目的は改良した撹拌インペラを提供することにある。
【課題を解決するための手段】
【０００７】
ここでは、適宜、撹拌機のための撹拌インペラが提供される。このインペラは本体部を有する。このインペラは、連結され、かつ前記本体部から複数の方向であって、外方向に延出する、周方向に離間し、長手方向に湾曲したチャンネル形状の複数の外側羽根を有する。
【０００８】
また、ここでは、撹拌機のための撹拌インペラが提供される。このインペラは回転軸を有し、上部及び下部を有する環状本体部を備える。このインペラは、連結され、かつ本体部の上部及び下部から外方向に延出する、周方向に空間を開けて離間し、チャンネル形状の先細りの複数の外側羽根を有する。この外側羽根のそれぞれは、本体部に連結される基端部と、前記基端部から半径方向に離間して位置する先端部とを有する。この先端部は、断面図において、基端部に比較して小さい。この外側羽根の少なくとも一つは、回転軸に対して軸方向の外方向に延出するように形成される。他の外側羽根の少なくとも一つは、半径方向の外方向に延出するように形成される。さらに別の外側羽根の少なくとも一つは、本体部によって少なくとも部分的に２等分されて形成される。第１の外側羽根の前記先端部は、少なくとも部分的に本体部より上を向く。第２の外側羽根の前記先端部は、少なくとも部分的に本体部より下を向く。第３の外側羽根の前記先端部は、少なくとも部分的に前記本体部の接線方向を向く。
【図面の簡単な説明】
【０００９】
本発明は、以下の添付の図面を参照して、例として後述する好ましい実施形態の明細書からより容易に理解される。
【図１】第１の実施形態による、断面のタンク、タンクに取り付けられたモータ及びギアボックス組立体及びこのモータに連結されたインペラを示す撹拌組立体の側面図である。
【図２】図１に示されるインペラの上側斜視図である。
【図３】図１に示されるインペラの上面図である。
【図４】図１に示されるインペラの底側斜視図である。
【図５】インペラの本体部から角度付けられて離間して示される複数の外側羽根を備えた図１に示されるインペラの分解側面図である。
【図６】第２の実施形態による、インペラの上側斜視図である。
【図７】図６に示されるインペラの底側斜視図である。
【図８】図６に示されるインペラの上面図である。
【図９】図６に示されるインペラの側面図である。
【図１０】第３の実施形態による、インペラの上側斜視図である。
【図１１】図１０に示されるインペラの底側斜視図である。
【図１２】図１０に示されるインペラの上面図である。
【図１３】図１０に示されるインペラの側面図である。
【図１４】第４の実施形態による、インペラに連結される撹拌機シャフトの部品とともに、一対の円錐（図１４には１つのみ示す）デフレクタを有するインペラの上側斜視図である。
【図１５】残りのインペラから離間して取り外された状態が示されるデフレクタの一つとともに図１４に示されるインペラの分解図である。
【図１６】図１４に示されるインペラの側面図である。
【図１７】第５の実施形態による、インペラの上側斜視図である。
【図１８】図１７に示されるインペラの底面図である。
【図１９】図１７に示されるインペラの側面図である。
【図２０】第６の実施形態による、インペラの一部の上側斜視図である。
【発明を実施するための形態】
【００１０】
まず図１を参照すると、同図には撹拌組立体１０が示されている。この組立体は、本例ではタンク１１であるハウジングを有する。組立体１０は、本例では、上記タンクに取り付けられた電気モータ及びギアボックス組立体１２であるアクチュエータを有する。このモータ及びギアボックス組立体は、従来通りであって、かつ、当業者に広く知られている。このため、これらの部品及び動作それ自体は詳細に説明しない。このタンク１１は、本例では円筒形状であるとともに、上部１３と、この上部と反対側の底部１４と、本例ではこの上部及び底部間に延出する湾曲した周側部１５とを有する。このタンク１１は、その中の撹拌される物質、本例では液体１７が配置された内部１６を有する。他の実施形態において、上記タンクは固体材料又は液体及び固体が混ぜられた混合物を収容し得る。撹拌組立体１０は、例えば、化学産業又は廃棄物管理システムに使用され得る。
【００１１】
このモータ及びギアボックス組立体１２は、スタブシャフト１８を有する。この組立体１０は、カップリング部材１９及び撹拌シャフト２０を備える。この撹拌シャフトは、第１の端部２１と、その第１の端部の反対側の第２の端部２２とを有する。カップリング部材１９は、撹拌シャフト２０の第１の端部をモータのスタブシャフト１８に連結する。このようにシャフト２０は、回転可能に上記モータ及びギアボックス組立体１２に連結されている。
【００１２】
撹拌組立体１０は、シャフト２０の第２の端部２２に取り付けられる撹拌インペラ２３を有する。本例では、この撹拌インペラは中央配置ハブ２４を含む。このハブは、図３に示される開口２６を有し、上記シャフトの端部を挿入可能に形成される。図１を参照すると、シャフト２０は、前記ハブ及びシャフトを一体で連結するために、ハブ２４に嵌め合される。このインペラ２３は、シャフト２０及びインペラ２３の回転周りの回転軸２５を有する。
【００１３】
図３に見られるように、インペラ２３は、円板状本体部２７を有する。この本体部は、図１に示されるタンク１１の上部１３に対面する図２及び図３に示される上部２８を有する。図４を参照すると、本体部２７は、その上部の反対側の底部２９を有する。図１に示されるように、この本体部の底部はタンクの底部１４に対面する。
【００１４】
図２を参照すると、インペラ２３は、周方向に離間して、長手方向に湾曲した、チャンネル形状（channel-shaped）をなす複数の外側羽根３０，３２，３４，３６，３８，４０，４２，４４を備える。本例では、８つの羽根が示されているが、この羽根の数は厳格に要求されておらず、他の実施形態において羽根の数を変更し得る。
【００１５】
外側羽根３０，３２，３４，３６，３８，４０，４２，４４は、複数の異なる方向において本体部２８から外方向に延出する。羽根３０，３２，３４，３６は、それぞれ外側羽根３８，４０，４２，４４に対して半径方向に１８０°離れて位置する。外側羽根３０，３２，３４，３６，３８，４０，４２，４４は、羽根３０のための凹部３３及び凸部３５によって図２に示されるように、凸部及び凹部を備えた断面チャンネル形状及び断面Ｃ字状である。
【００１６】
外側羽根の各々は、本体部２７に連結される基端部を有する。これは、図４に羽根３４とその基端部４６が示される。外側羽根の基端部４６は、本例では、羽根の基端部を２等分する本体部、及び半径方向に延出しかつ離間して湾曲された本体部の溝に沿って配置された羽根とともに、本体部２７の上部（頂部）２８及び底部２９の両方に連結する。この溝は、図２中の羽根３２の溝３７によって示されている。本実施形態においては、外側羽根の各々は、先端部に向かって先細りになり、その先端部は基端部から半径方向に離間している。これは、羽根３４の先端部５０によって示されている。本実施形態において、チャンネル形状先端部５０は、断面図においてチャンネル形状基端部４６に比べて小さい。各外側羽根は曲率半径ｒを有する。本例では、外側羽根の基端部４６における曲率半径ｒ１は、外側羽根の先端部５０における曲率半径ｒ２より大きい。
【００１７】
図１及び図２を参照すると、外側羽根３２，３４，４０，４２は本体部２７の上部２８から軸方向に外方向へ延出するように形成されるとともに、図１に示される回転軸２５に関連している。また、これら外側羽根は、タンク１１の上部１３に少なくとも部分的に面するそれらの先端部とともに半径方向の外方向に延出する。これら羽根は、図１の羽根４２の矢印４３で示すように、液体が上方への動くことを促進するように設定される。羽根３２，４０は、羽根３４，４２より大きい角度をもって本体部の上部から外方向へ延出する。本例において、羽根３２，４０は、図５に羽根４０によって示されるように、６０°と等しい角度α１において本体部２７の上部２８から空間を開けて角度付けられて離間する。本例において、羽根３４，４２は、３０°と等しい角度α２において本体部２７の上部２８から空間を開けて角度付けられて離間する。
【００１８】
図１及び図４に見られるように、外側羽根３６，４４は、本体部２７の底部２９から軸方向に外方向へ延出するように形成されるとともに、図１に示される回転軸２５に関連している。これら外側羽根は、タンク１１の底部１４に少なくとも部分的に面するそれらの先端部とともに半径方向の外方向に延出する。これら羽根は、図１の羽根４４の矢印４７で示すように、液体の下方向への動きを促進するように設定される。図５を参照すると、これら羽根は、羽根３６に示されるように、３０°と等しい角度α３において本体部２７の上部２９から空間を開けて角度付けられて離間する。角度α１，α２，α３は例として示されているに過ぎない。或いは、１以上の外側羽根は、例えば、４５°と等しい角度α４、又は８０°と等しい角度α５で本体部２７から空間を開けて角度付けられて離間し得る。
【００１９】
図１及び図２を参照すると、外側羽根３０，３８は、タンク１１の周側部１５に面するそれらの先端部とともに本体部２７から半径方向の外方向に延出するように形成される。羽根の各々、特に羽根３０，３８は、図３の羽根３８の矢印３９で示すように、液体の遠心性の動きを促進するように設定される。
【００２０】
本明細書で開示された、チャンネル形状の先細りの複数方向に延出する羽根を備えるインペラ２３は、より強化し、かつ効率化した方法で、タンク１１内の液体又は他の物質を混合可能とする。
【００２１】
図６〜図９は、第２の実施形態による、図１〜図５において示された撹拌組立体１０のためのインペラ２３．１を示す。類似の部品は、図１〜図５に示された実施形態に“．１“を加えて、類似の部材番号及び機能を有している。インペラ２３．１は、以下の例外を除き、図１〜図５に示されるインペラ２３とほぼ同一である。
【００２２】
インペラ２３．１は、主として液体物質を混合するのに特に適している。本例では、インペラは１０の羽根３０．１，３２．１，３４．１，３８．１，４０．１，４２．１，５２，５４，５６，５８を有する。羽根３２．１，５２、羽根３４．１，５４、羽根４０．１，５６、羽根４２．１，５８はそれぞれ、一組とされ、かつ本体部２７．１の両側に配置されている。これは、例えば、図６中の羽根３２．１、５２によって示される。羽根は、動作時のバランスのため一組とされる。羽根３２．１，５２，３４．１，５４，４０．１，５６，４２．１，５８はそれぞれ類似形状である。羽根３２．１，３４．１，４０．１，４２．１は、図１に示されるタンク１１の上部１３を向く羽根３４．１の先端部５０．１によって示されるようなそれらの先端部とともに、回転軸に関連する本体部２７．１の上部２８．１から半径方向及び軸方向の外方向に延出する。これら羽根は、液体の上方向への動きを促進する。
【００２３】
図７を参照すると、羽根５２，５４，５６，５８は、図１のタンク１１の底部１４に向かって面する羽根５８のための先端部５９に示されるようにそれらの先端部とともに、回転軸に関連する本体部２７．１の底部２９．１から半径方向及び軸方向の外方向へ延出する。これら羽根は、液体の下方向への動きを促進する。
【００２４】
各羽根は、平面、四辺形状の上部及び底部及び湾曲側部を備えて長手方向に湾曲し、かつチャンネル形状となり、この湾曲側部はこの上部及び底部に面した側は長手方向に凸状で、かつこの上部及び底部と離間した側は長手方向に凹状に形成される。外側羽根の上部及び底部は、それらの外側端部に向かって先細りとなる。これは、図６において、側部６０、上部６２及び底部６４を有する羽根３０．１とともに外側羽根３０．１，３８．１として示される。同様に、羽根３２．１，３４．１，４０．１，４２．１，５２，５４，５６，５８は、図６において、側部６６、上部６８及び底部７０を有する羽根５２によって示されている。
【００２５】
本体部２７．１は、環状に形成されるとともに中央開口７８を有する。インペラ２３．１は、例えば、本体部２７．１の上部２８．１に連結される内側羽根８０である複数の内側羽根を有する。この内側羽根は、上記ハブに連結される基端部と、それに半径方向に空間を開けて角度付けられて離間する先端部と、を有する。これは、図８中の基端部８２及び先端部８４を備える羽根８０に示される。この内側羽根は、本例ではそれらの基端部より大きく形成される羽根の先端部を備える四辺形状である。この内側羽根８０は、上記ハブが開口７８と同軸となるような所定の位置のハブ２４．１に連結される。この内側羽根８０は、上記ハブから半径方向の外方向に延出する。この内側羽根は、本体部の上部２８．１に対して上方向に角度付けられている。図１に示すように、この内側羽根８０は、タンクの底部１５から開口７８を通過してタンク１１の上部１３へ向かって液体の上方向への動きを促進するように設定される。これは、図９の矢印８１に示される。このように。内側羽根は、固体がタンク内の底部で沈殿することを抑制し得る。
【００２６】
図１０〜図１３は、第３の実施形態による図１〜図５における撹拌組立体１０のためのインペラ２３．２を示す。類似の部品は、図１〜図５に示された実施形態に“．２“を加えて、類似の部材番号及び機能を有している。インペラ２３．２は、以下の例外を除き、図１〜図５に示されるインペラ２３とほぼ同一である。
【００２７】
各羽根、例えば図１０の羽根４４．２は、本例では本体部の上部２８．２と少なくとも部分的に平行に設けられた複数の四辺形、角度的離間プレート７３から形成される上部７２と、本例では図１１に示す本体部の底部２９．２と少なくとも部分的に平行に設けられた複数の四辺形、角度的離間プレート７５から形成される底部７４と、本体部２７．２に対して垂直方向に設けられた複数の四辺形で形成される複数の四辺形、角度的離間プレート７７から形成される側部７６と、を有する。このチャンネル形状羽根は、断面図において、液体を受け入れ、かつそこを通過させて導くための台形空間を形成する。これは、図１０の羽根３２．２のスペース７９に示されている。各羽根は、図１０の羽根４４．２によって示されるように、本体部２７．２に連結される第１の部位７８と、この第１の部位７８に連結かつ角度付けられた第２の部位８０と、この第２の部位８０に連結かつ角度付けられた第３の部位８２と、を含む複数の部位によって形成される。本例では、第１の部位は、部分的に長方形に形成され、本例では、第２及び第３の部位は、台形に形成されている。各羽根３０．２，３２．２，３４．２，３６．２，３８．２，４０．２，４２．２，４４．２は、全体として湾曲した態様で一体に連結される部位７８，８０，８２を有する。
【００２８】
図１０に見られるように、羽根３２．２，３６．２，４０．２，４４．２は連結されるとともに、本体部２７．２の上部２８．２から延出する。図１１に見られるように、羽根３４．２，４２．２は連結されるとともに、本体部２７．２の底部２９．２から延出する。図１０を参照すると、羽根３２．２，３４．２，４０．２，４２．２は液体を上方向に導くために、タンクの上部に向かって上方向に延出するように形成される。図１１に示されるように、羽根３６．２，４４．２は、液体を下方向に導くために、タンクの底部に向かって下方向に延出するように形成される。
【００２９】
図１３に見られるように、羽根３０．２，３８．２は、この本体部がこれら羽根の基端部を２等分することで、本体部２７．２の上部２８．２及び底部２９．２の両方に連結される。羽根３０．２，３８．２は半径方向に外方向に延出して形成されるとともに、それらの部位は接線方向に湾曲される。
【００３０】
図１４〜図１６は、第４の実施形態による、図１〜図５に示された撹拌組立体１０のインペラ２３．３を示す。類似の部品は、図１〜図５に示された実施形態に“．３“を加えて、類似の部材番号及び機能を有している。インペラ２３．３は、以下の例外を除き、図１〜図５に示されるインペラ２３とほぼ同一である。
【００３１】
図１４及び図１６を参照すると、インペラは、それぞれ本体部２７．３の上部２８．３及び底部２９．３に取り付けられる一対の中央配置デフレクタ８６，８８を有する。各デフレクタは、それぞれほぼ同一であるため、デフレクタ８６のみ詳細に説明する。図１５に見られるように、デフレクタ８６は円錐の形状であるとともに、特に、本例では凹円錐台形外面９０を有する。図１４を参照すると、デフレクタの基端部９２は本体部２７．３の上部２８．３に隣接するとともに、その先端部９４と比較して大径に形成される。図１５に見られるように、デフレクタ８６は、端部９２から端部９４に延出する中央開口９６を有するとともに、デフレクタの端部９２においてこのシャフトが密接に挿入されるデフレクタとともに図１４に示されるように、撹拌シャフト２０．３を挿入可能に形成される。
【００３２】
図１４及び図１６を参照すると、デフレクタ８６は湾曲され、かつ側面からみて外形が連続的であって、本体部２７．３の上部２８．３から表面９０に沿ってシャフト２０．３の外面９８に通過するように、撹拌される液体のための滑らかな経路を提供する。同様の方法において、図１６を参照すると、デフレクタ８８は、側面から見て湾曲しているとともに、本体部の底部２９．３及びデフレクタの対応する凹部、円錐面１００間に側面から見て滑らかな経路を提供する。図１４の矢印１０１で示されるように、デフレクタ８６は、軸方向の下方向及び半径方向に外方向に液体を導くように形成される。換言すると、デフレクタ８６は、液体を下方向及び外方向に本体部２７．３の上部に配置された羽根の基端部４６．３に向かって導くように形成されるとともに、羽根の先端部５０．３を通じて液体の流れを外側に排出する。図１６を参照すると、デフレクタ８８は、液体を軸方向の上方向に、かつ半径方向に外方向に、矢印１０３によって示されるように、本体部２７．３の下に配置された羽根の基端部に向かって導くように形成され、羽根の先端部を通じて液体の流れを外側に排出する。両デフレクタは、本体部２７．３に溶接され、又はシャフト２０．３とともに摩擦係合され得る。
【００３３】
図１５に見られるように、シャフト２０．３は、その第２の端部２２．３に、例えば、溶接によって連結されるフランジ１０２を有する。このフランジは、複数の周方向離間開口１０４を有する。本体部２７．３は、複数の対応する開口を有するとともに、フランジ１０２は複数のコネクタが前記開口を通過することによって、インペラ２３．３に連結可能である。本例では、コネクタはボルト及びナット１０６から形成されているが、他の実施形態によればリベットとなり得る。
【００３４】
図１７〜図１９は、第５の実施形態において、図１〜図５に示される撹拌組立体１０のインペラ２３．４を示す。類似の部品は、図１〜図５に示された実施形態に“．４“を加えて、類似の部材番号及び機能を有している。インペラ２３．４は、以下の例外を除き、図１〜図５に示されるインペラ２３とほぼ同一である。
【００３５】
インペラ２３．４は、図１７に示される連結され、かつハブ２４．４から半径方向に外方向に延出するプレート１０８として、複数の周方向に離間した垂直配置コネクタプレートを有する。また、本体部２７．４は、中央に連結され、かつハブ２４．４周りに延出する。この本体部は図１〜図１６に示される実施形態と比較して小さい。図１８を参照すると、上記各プレートは、上記本体部の径方向離間溝３７．４のそれぞれを通じて延出する第１の部分１１０を有する。また、プレート１０８のそれぞれは、本体部２７．４の外周縁１０９の接線方向に延出する第２の部分１１２を有する。第２の部分は、第１の部分に対して曲げられるとともに、第１及び第２の部分の両方は、本例では長方形状である。このコネクタプレート１０８は、本体部２７．４及びインペラ２３．４を補強するように機能する。
【００３６】
各外側羽根３０．４，３２．４，３６．４，３８．４，４０．４，４４．４は、図１７中の羽根３２．４の端部１１４に示される平面の基端部を有する。このコネクタプレート１０８は、上記外側羽根の基端部を本体部２７．４に連結する。この連結は、例えば溶接の方法によって行われるが、方法は厳密に要求されず、他の羽根のコネクタプレートへの連結方法も利用可能である。各外側羽根３０．４，３２．４，３６．４，３８．４，４０．４，４４．４は、図１９に羽根３２．４の端部１１６によって見られる断面Ｃ字形状の先端部を有する。この羽根は、十分に本体部２７．４から外方向に延出し、かつ直接に本体部に連結されない。
【００３７】
図２０は、第６の実施形態において、図１〜図５に示される撹拌組立体１０のインペラ２３．５の一部を示す。類似の部品は、図１〜図５に示された実施形態に“．５“を加えて、類似の部材番号及び機能を有している。インペラ２３．５は、それらの外側羽根が先細りの形状となっていないという例外を除き、図１〜図５に示されるインペラ２３とほぼ同一である。各羽根は図１〜図５に示された羽根とほぼ同一であるため、羽根３４．５のみ示して説明する。羽根３４．５の基端部４６．５は、羽根３４．５の先端部５０．５と等しいサイズである。また、羽根の各端部４６．５の曲率半径ｒ１５は、羽根の各端部５０．５の曲率半径ｒ２５と等しい。
【００３８】
さらに他のバリエーションがここに記述される発明の範囲内で可能であることは当然である。例えば、上述した羽根の数は変更し得る。また、外側羽根の周方向の角度位置も変更し得る。これら羽根はそれらの基端部において、インペラの本体部における上部のみ、底部のみ又は上部及び底部の両方において連結され得る。この羽根は、全体が湾曲してもよいし、部分的に湾曲していてもよい。この羽根は、溶接で一体とされる複数のプレートとともに形成され得る。
【００３９】
また、上述された種々の詳細は一例であって、以下の特許請求の範囲を参照して決定される本発明の範囲の限定を意図するものではない旨当業者によって理解される。
【図１】
2015502846.tif 000003
【図２】
2015502846.tif 000004
【図３】
2015502846.tif 000005
【図４】
2015502846.tif 000006
【図５】
2015502846.tif 000007
【図６】
2015502846.tif 000008
【図７】
2015502846.tif 000009
【図８】
2015502846.tif 000010
【図９】
2015502846.tif 000011
【図１０】
2015502846.tif 000012
【図１１】
2015502846.tif 000013
【図１２】
2015502846.tif 000014
【図１３】
2015502846.tif 000015
【図１４】
2015502846.tif 000016
【図１５】
2015502846.tif 000017
【図１６】
2015502846.tif 000018
【図１７】
2015502846.tif 000019
【図１８】
2015502846.tif 000020
【図１９】
2015502846.tif 000021
【図２０】
2015502846.tif 000022
【国際調査報告】
2015502846.tif 000023
2015502846.tif 000024